(57)【要約】【課題】  例えば手鏡程度の大きさでほぼ一人分の顔を写し込み、周囲の他の乗客が写り込まないようにして、目のやり場がないという課題を解消するようにしたエレベータのかご室を得る。【解決手段】  かご室１の側壁４に鏡５が装着されるものにおいて、かご側壁に装着される鏡は、手鏡程度の大きさでほぼ一人分の顔を写し込むサイズの小さな鏡とし、かご側壁の表面から所定寸法分奥側に位置するように間隔材８を介してかご側壁の裏面に取り付けられる。【選択図】    図１
2007022672.tif 000002
【特許請求の範囲】
【請求項１】
かご室の側壁に鏡が装着されるエレベータのかご室において、
かご側壁に装着される鏡は、手鏡程度の大きさでほぼ一人分の顔を写し込むサイズの小
さな鏡であることを特徴とするエレベータのかご室。
【請求項２】
かご側壁に装着される鏡は、かご側壁の表面から所定寸法分奥側に位置するように間隔
材を介してかご側壁の裏面に取り付けられたことを特徴とする請求項１記載のエレベータ
のかご室。
【請求項３】
かご側壁に装着される鏡は、凹面鏡であることを特徴とする請求項２記載のエレベータ
のかご室。
【請求項４】
かご側壁の鏡を設置する位置にプレス加工により形成されたプレス凹部と、前記プレス
凹部の底部に設けられた鏡取付穴と、前記鏡取付穴の周囲にほぼ等間隔に設けられたスタ
ッドボルトと、前記スタッドボルトを挿通させるための穴が設けられ、前記プレス凹部の
底部裏面と前記鏡との間に挟み込まれる間隔材とを備えたことを特徴とする請求項２記載
のエレベータのかご室。
【請求項５】
プレス凹部の形状を、取手部分を有する手鏡形状としたことを特徴とする請求項４記載
のエレベータのかご室。
【請求項６】
かご側壁の裏面と鏡との間に樹脂製間隔材及び円形蛍光管を設け、前記円形蛍光管の点
灯時に、円形蛍光管からの照明光を前記樹脂製間隔材を透過させて、鏡に反射させるよう
にしたことを特徴とする請求項２記載のエレベータのかご室。
【請求項７】
樹脂製間隔材は、絵柄等が施されていることを特徴とする請求項６記載のエレベータの
かご室。
【請求項８】
かご側壁に装着される鏡は、かご側壁の裏面に取付フランジ部が取り付けられた鍋形状
の鏡板からなることを特徴とする請求項１記載のエレベータのかご室。
【発明の詳細な説明】
【技術分野】
【０００１】
この発明は、例えば手鏡程度の大きさでほぼ一人分の顔を写し込む鏡を備えたエレベータのかご室に関するものである。
【背景技術】
【０００２】
従来、一般的な車椅子対応のエレベータにおいては、車椅子利用者が安全に乗降できるように、かご室の正面壁に鏡が設けられている（例えば、特許文献１参照）。
この鏡は、かご室の正面壁に向かって乗り込んだ車椅子利用者がエレベータから降りるときに、かご室の正面壁に設けた鏡に写っている乗場の状況を確認しながら後退して安全に降りるためのものであり、鏡のサイズとしては、約６００ｍｍ×９００ｍｍ程度の大きさである。
また、このエレベータは車椅子利用者以外の一般の乗客の利用もする。
【０００３】
【特許文献１】実開昭５２−９７７７５号公報
【発明の開示】
【発明が解決しようとする課題】
【０００４】
従来のエレベータのかご室では、車椅子利用者以外の一般の乗客も利用しており、鏡に車椅子利用者以外の人も写り込まれるため、車椅子利用者が他の一般乗客と目を合わせることが多く、目のやり場に困ってしまい、ストレスを受けるといった問題がある。
また、かご室内が混雑している場合は、鏡付近の乗客がかご室の側壁面より飛び出している鏡の角部に押し付けられるという不具合もある。
また、上記のような鏡が設置されていないエレベータにおいても、例えば、高層ビルに設置されるエレベータの場合は、昇降行程が長いため、高層階まで移動するのにエレベータかご室内に１分以上乗っていることも多い。更に、オフィスの出社時間帯や退社時間帯には、かご室が満員の状態となることも多いため、他の人と目を合わせることも多く、一般の乗客の場合でも目のやり場に困りストレスを感じるといった問題があった。そのため、多くの乗客は他の人と目を合わせないように、かご室内の表示器の表示内容を見たり、操作盤などをじっと我慢しながら見ていることが多かった。
【０００５】
この発明は上記のような課題を解決するためになされたもので、例えば手鏡程度の大きさでほぼ一人分の顔を写し込み、周囲の他の乗客が写り込まないようにして、目のやり場がないという課題を解消するようにしたエレベータのかご室を提供するものである。
【課題を解決するための手段】
【０００６】
この発明に係るエレベータのかご室においては、かご室の側壁に鏡が装着されるものに
おいて、かご側壁に装着される鏡は、手鏡程度の大きさでほぼ一人分の顔を写し込むサイ
ズの小さな鏡としたものである。
【発明の効果】
【０００７】
この発明によれば、鏡はほぼ一人分の顔を写し込む大きさとしているので、鏡を覗いた人以外の視野を極力写り込まないようにして、鏡を覗いた人が不快とならないようにしている。そのため、周囲の人に気兼ねすることなくエレベータかご室を利用できるという効果がある。
【発明を実施するための最良の形態】
【０００８】
実施の形態１.
図１はこの発明の実施の形態１におけるエレベータのかご室内を正面から見た斜視図、図２はかご室の鏡部分を示す正面図、図３は図２のＡ−Ａ線に沿った断面図である。
図において、１はエレベータのかご室、２はかご床、３はかご天井、４はかご室１の側板を形成するかご側壁、４ａはかご側壁４の表面、４ｂはかご側壁４の裏面、５はかご側壁４に設けられた手鏡程度の大きさでほぼ一人分の顔を写し込むサイズの小さな鏡である。この鏡５は、客先の要求等により設置位置が決められる。例えば、かご床２面からの設置高さは、鏡５の中心が子供の目の高さ、大人の目の高さとなるように客先の要求等により決定される。６はかご側壁４の鏡５を設置する位置に形成された鏡取付穴で、この取付穴の大きさ（径）、すなわち鏡５の大きさは、ほぼ一人分の顔が写し込まれる位の大きさとしている。７はかご側壁４の裏面４ｂの取付穴６部の周囲にほぼ等間隔に固着されたスタッドボルト、８はかご側壁４の裏面４ｂの取付穴６部の周囲に設けられた断面コの字状を呈する環状の間隔材で、スタッドボルト７とナット９とでかご側壁４の裏面４ｂに締め付け固定されている。１０は破損し易いガラスを除く材料からなる鏡板で、間隔材８に設けられたネジ穴８ａにネジ１１により締め付け固定されている。鏡板１０は、かご室１内側の表面が鏡面１０ａとなるように仕上げられており、鏡板１０の裏面１０ｂは鏡面仕上げとする必要はない。また、鏡板１０は、図３に示すように、鏡面１０ａがかご側壁４の表面４ａからＢ寸法奥側に位置するように設けられている。なお、間隔材８は、断面コの字状を呈する環状のものとしているが、所要の間隔を保持できるものであれば、任意の断面形状であってもよく、環状でなく複数箇所に設けたものであってもよい。また、間隔材８の材質も目的等に応じて金属や樹脂など、不透明の材料、半透明の材料、例えばカラーのアクリル樹脂など、任意の材質でもよい。
【０００９】
この実施の形態１の構成によれば、鏡５はほぼ一人分の顔を写し込む大きさとしていることと、図３に示すように、鏡面１０ａをかご壁４の表面４ａからＢ寸法分奥側に設けていることにより、写り込みの入射角（視角）を小さくすることができるため、鏡５を覗いた人以外の視野を極力写り込まないようにして、鏡を覗いた人が不快とならないようにしている。そのため、周囲の人に気兼ねすることなくエレベータかご室を利用できるという効果がある。
【００１０】
実施の形態２.
図４はこの発明の実施の形態２におけるエレベータかご室の鏡部分を示す断面図である。なお、実施の形態１と同一又は相当部分には同一符号を付しているので、説明を省略する。
図において、１２は破損し易いガラスを除く材料からなる凹面鏡板で、間隔材８に設けられたネジ穴８ａにネジ１１により締め付け固定されている。凹面鏡板１２は、かご室１内側の表面が凹状の鏡面１２ａとなるように仕上げられており、凹面鏡板１２の裏面１２ｂは鏡面仕上げとする必要はない。
【００１１】
この実施の形態２によれば、鏡５を凹面鏡板１２とすることにより、実施の形態１に比較して、より鏡面１２ａに写し込まれる視野が狭くなり、鏡に覗き込んでいる利用者以外の他の乗客の写り込みが減少するため、前述の問題が解消される。また、凹面鏡とすることにより、取付穴の大きさを小さくしても、利用者の顔全体を写り込ませることが可能である。
【００１２】
実施の形態３.
図５はこの発明の実施の形態３におけるエレベータかご室の鏡部分を示す正面図、図６は図５のＣ−Ｃ線に沿った断面図である。なお、実施の形態１と同一又は相当部分には同一符号を付しているので、説明を省略する
図において、１３はかご側壁４の鏡５の設置位置にプレス加工により形成されたプレス凹部、６はこのプレス凹部１３の底部４ｄ中央に設けられた鏡取付穴、１４はプレス凹部１３の底部４ｄ裏面の取付穴６の周囲にほぼ等間隔に固着されたスタッドボルト、１５はこのスタッドボルト１４を挿通させるための穴１５ａが設けられ、かつプレス凹部１３の底部４ｄ裏面と鏡板１０との間に挟み込まれて、挿通させたスタッドボルト１４の先端においてナット１６により締め付け固定された円筒状の間隔材である。間隔材１５の材質は金属や樹脂など、不透明の材料、半透明の材料、例えばカラーのアクリル樹脂など、目的に合わせて選択、構成させればよい。
なお、図６において、プレス凹部１３の傾斜面４ｃとかご側壁４の表面４ａとの角部（境界）、およびプレス凹部１３の傾斜面４ｃとプレス凹部１３の底部４ｄとの角部（境界）には、プレス加工により丸みが形成される。上記角部（境界）は丸みが形成されているため、実際に稜線は現われないが、判り易くするため、図６におけるプレス凹部１３の傾斜面４ｃとかご側壁４の表面４ａとの交点、およびプレス凹部１３の傾斜面４ｃとプレス凹部１３の底部４ｄとの交点を示す線１７、１８を図５に示している。
【００１３】
この実施の形態３によれば、かご側壁４にプレス加工によるプレス凹部１３を設けることにより、特異な意匠を提供することができる。すなわち、側壁表面材の鏡取付穴の周囲を凹ませているので、凹み部分が意匠のアクセントとなり、意匠性が向上する。また、凹み部の傾斜面とかご側壁表面との角部が滑らかな丸み形状となるので、乗客が触れた時に柔らかい感触を感じさせることができる。また、エレベータの昇降中に鏡が利用できるので、昇降中の時間を退屈させないという乗客へのサービス効果が期待できる。
【００１４】
実施の形態４.
図７はこの発明の実施の形態４におけるエレベータかご室の鏡部分を示す正面図である。
図７において、１９はプレス凹部１３の傾斜面４ｃとかご側壁４の表面４ａとの交点を示す線、２０はプレス凹部１３の傾斜面４ｃとプレス凹部１３の底部４ｄとの交点を示す線である。上記実施の形態３では、プレス加工によるプレス凹部１３の形状が正面から見て円形状であるが、この実施の形態４においては、図７に示すように、プレス加工によるプレス凹部１３の形状を正面から見て手鏡形状としたものである。図中の１３ａは手鏡の取手部分を示す。
【００１５】
この実施の形態４によれば、プレス加工によるプレス凹部１３の形状を例えば手鏡形状とすることにより、利用者を楽しませる意匠とすることができる。
【００１６】
実施の形態５.
図８はこの発明の実施の形態５におけるエレベータかご室の鏡部分を示す断面図、図９は図８のＤ−Ｄ線に沿った断面図、図１０はこの発明の実施の形態５におけるエレベータかご室の鏡部分を背面方向より見た背面図である。なお、実施の形態１と同一又は相当部分には同一符号を付しているので、説明を省略する。
図において、２５はかご側壁４の裏面４ｂと鏡板１０との間に設けられた樹脂製間隔材で、例えば半透明のカラーのアクリル樹脂で作られたものを接着剤等によりかご側壁４の裏面４ｂに貼り付けている。この樹脂製間隔材２５の外側の周囲に断面コの字状を呈する環状の間隔材８が配置されている。２１は樹脂製間隔材２５と環状の間隔材８との間の設けられた円形蛍光管、２２は円形蛍光管２１を保持するランプ保持具、２３は安定器、２４はグロースタータである。
【００１７】
この実施の形態５によれば、円形蛍光管２１を点灯させない時は、実施の形態１と同様に通常の鏡として機能する。そして、円形蛍光管２１を点灯させると、照明光が樹脂製間隔材２５を透過し、樹脂製間隔材２５のカラー光が鏡面１０ａで反射されて、かご室１内に照射されるため、特異な照明として斬新的な機能を発揮し利用者を一層楽しませることができる。この場合、鏡としての機能は殆どなくなる。
【００１８】
実施の形態６.
図１１はこの発明の実施の形態６におけるエレベータかご室の鏡部分を示す断面図である。なお、実施の形態５と同一又は相当部分には同一符号を付しているので、説明を省略する。
図において、２６はかご側壁４の裏面４ｂと鏡板１０との間に設けられた断面プリズム型の２個の樹脂製間隔材２６ａ、２６ｃと、その間に挟み込まれ例えば絵柄等が刷り込まれたフィルム２６ｂとからなる樹脂製間隔材である。この樹脂製間隔材２６は、蛍光管２１を点灯させた時に、鏡板１０の鏡面１０ａにフィルム２６ｂに描かれた絵柄等が写し込まれるように構成したものであり、フィルム２６ｂは着色された無地（絵柄の無い）のものでも、絵柄等が描かれたものでもよい。また、フィルム２６ｂを無くして、例えば樹脂製間隔材２６ａのプリズム型傾斜面に絵柄等をプリントしたものでもよい。更に、樹脂製間隔材２６ｃを不要とし、例えば樹脂製間隔材２６ａのプリズム型傾斜面に絵柄等をプリントしたものでもよい。
【００１９】
この実施の形態６によれば、円形蛍光管２１を点灯させた時、鏡面１０ａに単なる灯りではなく、フィルム等に描かれた絵柄等が写り込まれるので、利用者を更に楽しませることができる。
【００２０】
実施の形態７.
図１２はこの発明の実施の形態７におけるエレベータかご室の鏡部分を示す断面図である。
図において、２７はかご側壁４の裏面４ｂへの取付フランジ部２７ａから鏡面２７ｃまでを、例えば絞り加工等で鍋形状とした鏡板である。なお、２７ｂ部分が間隔材に相当する部分であり、鍋形状の内面部分２７ｄを鏡面２７ｃとしている。
このような構成においても、実施の形態１と同様の効果が得られる。
【図面の簡単な説明】
【００２１】
【図１】この発明の実施の形態１におけるエレベータのかご室内を正面から見た斜視図である。
【図２】かご室の鏡部分を示す正面図である。
【図３】図２のＡ−Ａ線に沿った断面図である。
【図４】この発明の実施の形態２におけるエレベータかご室の鏡部分を示す断面図である。
【図５】この発明の実施の形態３におけるエレベータかご室の鏡部分を示す正面図である。
【図６】図５のＣ−Ｃ線に沿った断面図である。
【図７】この発明の実施の形態４におけるエレベータかご室の鏡部分を示す正面図である。
【図８】この発明の実施の形態５におけるエレベータかご室の鏡部分を示す断面図である。
【図９】図８のＤ−Ｄ線に沿った断面図である。
【図１０】この発明の実施の形態５におけるエレベータかご室の鏡部分を背面方向より見た背面図である。
【図１１】この発明の実施の形態６におけるエレベータかご室の鏡部分を示す断面図である。
【図１２】この発明の実施の形態７におけるエレベータかご室の鏡部分を示す断面図である。
【符号の説明】
【００２２】
１  かご室
２  かご床
３  かご天井
４  かご側壁
４ａ  かご側壁の表面
４ｂ  かご側壁の裏面
５  鏡
６  鏡取付穴
７、１４  スタッドボルト
８、１５  間隔材
８ａ  ネジ穴
９、１６  ナット
１０、２７  鏡板
１０ａ  鏡面
１０ｂ  裏面
１１  ネジ
１２  凹面鏡板
１２ａ  鏡面
１３  プレス凹部
２１  円形蛍光管
２２  ランプ保持具
２３  安定器
２４  グロースタータ
２５、２６、２６ａ、２６ｂ  樹脂製間隔材
２６ｃ  フィルム
【図１】
2007022672.tif 000003
【図２】
2007022672.tif 000004
【図３】
2007022672.tif 000005
【図４】
2007022672.tif 000006
【図５】
2007022672.tif 000007
【図６】
2007022672.tif 000008
【図７】
2007022672.tif 000009
【図８】
2007022672.tif 000010
【図９】
2007022672.tif 000011
【図１０】
2007022672.tif 000012
【図１１】
2007022672.tif 000013
【図１２】
2007022672.tif 000014